(57)【要約】【課題】傾斜地に対応しつつも、支柱とゲート本体との間の間隙を小さくすることができるクロスゲート及びクロスゲートの取付方法を提供する。【解決手段】ゲート本体を支柱に連結するための連結具において、上下に揺動可能なガイドブロックと、前記ガイドブロックの長手方向に貫通形成されたスライド溝に沿って前記ガイドブロックの内部を摺動可能であるとともに、前記ゲート本体に固定されるゲート保持部材と、を設けた。前記ゲート保持部材にはボルト穴が設けられ、このボルト穴と前記スライド溝とを貫通するようにロックボルトを設けたことにより、前記ゲート保持部材は、前記ロックボルトを軸として回動可能であるとともに、前記ロックボルトを緩めたときに前記スライド溝に沿って摺動可能であり、かつ、前記ロックボルトを締め付けたときに前記スライド溝に沿って摺動できないように形成した。【選択図】図２
2011163087.tif 000002
【特許請求の範囲】
【請求項１】
伸縮可能なゲート本体と、このゲート本体を支柱に連結するための連結具と、を備えたクロスゲートにおいて、
前記連結具は、
支柱に固定される支柱保持部材と、
前記支柱保持部材に対して上下に揺動可能に連結されるガイドブロックと、
前記ガイドブロックの長手方向に貫通形成されたスライド溝に沿って前記ガイドブロックの内部を摺動可能であるとともに、前記ゲート本体に固定されるゲート保持部材と、
を有し、
前記ゲート保持部材にはボルト穴が設けられ、このボルト穴と前記スライド溝とを貫通するようにロックボルトを設けたことにより、前記ゲート保持部材は、前記ロックボルトを軸として回動可能であるとともに、前記ロックボルトを緩めたときに前記スライド溝に沿って摺動可能であり、かつ、前記ロックボルトを締め付けたときに前記スライド溝に沿って摺動できないように形成したことを特徴とする、クロスゲート。
【請求項２】
前記ガイドブロックの内部にはストッパーが設けられ、
前記ロックボルトを所定の位置で締め付け固定したときにこのストッパーと前記ゲート保持部材が係合し、前記ゲート保持部材の回動が抑制されることを特徴とする、請求項１記載のクロスゲート。
【請求項３】
請求項１又は２記載のクロスゲートを使用したクロスゲートの取付方法であって、
前記連結具は、前記ゲート本体の端の上部及び下部の二箇所に設けられ、
上り勾配に取り付ける場合は、下部に設けられた前記ロックボルトを緩めた状態で取り付けるとともに、上部に設けられた前記ロックボルトは締め付け固定し、
下り勾配に取り付ける場合は、上部に設けられた前記ロックボルトを緩めた状態で取り付けるとともに、下部に設けられた前記ロックボルトは締め付け固定することを特徴とする、クロスゲートの取付方法。
【請求項４】
請求項２記載のクロスゲートを使用したクロスゲートの取付方法であって、
前記連結具は、前記ゲート本体の端の上部及び下部の二箇所に設けられ、
上り勾配に取り付ける場合は、下部に設けられた前記ロックボルトを緩めた状態で取り付けるとともに、上部に設けられた前記ロックボルトは前記所定の位置で締め付け固定し、
下り勾配に取り付ける場合は、上部に設けられた前記ロックボルトを緩めた状態で取り付けるとともに、下部に設けられた前記ロックボルトは前記所定の位置で締め付け固定することを特徴とする、クロスゲートの取付方法。
【発明の詳細な説明】
【技術分野】
【０００１】
この発明は、住宅や車庫、建設現場や資材置場の出入口等に設置される伸縮可能なクロスゲート及びクロスゲートの取付方法に関するものであり、特に傾斜地への設置に適したクロスゲート及びクロスゲートの取付方法に関する。
【背景技術】
【０００２】
従来、この種のクロスゲートとしては、例えば特許文献１に示したようなものが知られている。この伸縮門扉は、複数の支柱部材と、各支柱部材間に枢着して架設されるクロスバー（桟部材）とを具備し、前記クロスバー同士の角度が変わることによって各支柱部材が相互に離間または接近して伸縮し、開閉されるようになっている。
【０００３】
ところが、出入り口等の設置面が門扉の吊り元側が高く、戸先側が低く傾斜していると、門扉の一端を引き出したときに上記端部が設置面から浮いてしまう。そのため、クロスバーやクロスバー同士の枢支部に無理な力が加わり、枢支部が壊れたり、クロスバーが変形したりするという問題がある。
【０００４】
こうした問題を回避するため、本出願人は、先に特許文献２に係る考案を提案した。すなわち、出入り口の支柱に対して垂直な第１の軸ピンと、ゲート本体に対して垂直な第２の軸ピンとを設け、更に、第１の軸ピンには略水平方向に長い連結金具を設け、この連結金具には第２の軸ピンに一体的に設けられたガイドブロックを連結金具の略長手方向に沿って摺動可能に連結したクロスゲートを提案した。
【先行技術文献】
【特許文献】
【０００５】
【特許文献１】特開２００８−１５６８８７号公報
【特許文献２】実用新案登録第３１５２５９４号公報
【発明の概要】
【発明が解決しようとする課題】
【０００６】
なお、こうしたクロスゲートは、例えばその表面に目隠しパネルを配設して使用される場合がある。このとき、支柱とゲート本体との間には目隠しパネルを配設できないため、クロスゲートで遮断した内部がなるべく見えないようにするためには、支柱とゲート本体との間の間隙をなるべく小さくすることが要求される。
【０００７】
しかしながら、上述した特許文献２記載のクロスゲートにおいては、支柱とゲート本体との間に摺動動作をロックするためのロックボルトを設けたため、このロックボルトの分だけ支柱とゲート本体との間に間隙ができることとなっていた。
【０００８】
そこで、本発明は、傾斜地に対応しつつも、支柱とゲート本体との間の間隙を小さくすることができるクロスゲート及びクロスゲートの取付方法を提供することを課題とする。
【課題を解決するための手段】
【０００９】
本発明は、上記した課題を解決するためになされたものである。以下、各請求項にそれぞれ記載された発明の特徴を説明する。
【００１０】
（請求項１）
請求項１に記載の発明は、以下を特徴とする。
【００１１】
すなわち、請求項１に記載のクロスゲートは、伸縮可能なゲート本体と、このゲート本体を支柱に連結するための連結具と、を備え、前記連結具は、支柱に固定される支柱保持部材と、前記支柱保持部材に対して上下に揺動可能に連結されるガイドブロックと、前記ガイドブロックの長手方向に貫通形成されたスライド溝に沿って前記ガイドブロックの内部を摺動可能であるとともに、前記ゲート本体に固定されるゲート保持部材と、を有し、前記ゲート保持部材にはボルト穴が設けられ、このボルト穴と前記スライド溝とを貫通するようにロックボルトを設けたことにより、前記ゲート保持部材は、前記ロックボルトを軸として回動可能であるとともに、前記ロックボルトを緩めたときに前記スライド溝に沿って摺動可能であり、かつ、前記ロックボルトを締め付けたときに前記スライド溝に沿って摺動できないように形成したことを特徴とする。
【００１２】
（請求項２）
請求項２に記載の発明は、上記した請求項１に記載の発明の特徴点に加え、以下を特徴とする。
【００１３】
すなわち、請求項２に記載のクロスゲートは、前記ガイドブロックの内部にはストッパーが設けられ、前記ロックボルトを所定の位置で締め付け固定したときにこのストッパーと前記ゲート保持部材が係合し、前記ゲート保持部材の回動が抑制されることを特徴とする。
【００１４】
なお、ここで言う「所定の位置」は、ガイドブロックとゲート保持部材との相対位置で特定される位置である。この「所定の位置」としては任意の位置を設定できるものの、支柱とゲート本体との間隙を小さくすることを考慮すれば、ガイドブロックとゲート保持部材とがなるべく接近する位置であることが望ましい。言い換えると、ガイドブロックに形成されたスライド溝の最も根元の部分においてロックボルトを締め付け固定することが望ましい。
【００１５】
また、支柱とゲート本体との間隙を大きくする方向に働く荷重、すなわち、水平方向の荷重に強い構造とするためには、スライド溝の長手方向が鉛直方向となるような位置を「所定の位置」とし、この位置でガイドブロックとゲート保持部材とを固定することが望ましい。このように構成すれば、水平方向の力が加わった場でも、ガイドブロックが回転することなしにはスライド溝に沿った摺動動作が発生しないことになるため、水平方向の荷重に強い構造とすることができる。
【００１６】
（請求項３）
請求項３に記載の発明は、上記した請求項１又は２記載のクロスゲートを使用したクロスゲートの取付方法であって、以下を特徴とする。
【００１７】
すなわち、請求項３に記載のクロスゲートの取付方法は、前記連結具は、前記ゲート本体の端の上部及び下部の二箇所に設けられ、上り勾配に取り付ける場合は、下部に設けられた前記ロックボルトを緩めた状態で取り付けるとともに、上部に設けられた前記ロックボルトは締め付け固定し、下り勾配に取り付ける場合は、上部に設けられた前記ロックボルトを緩めた状態で取り付けるとともに、下部に設けられた前記ロックボルトは締め付け固定することを特徴とする。
【００１８】
（請求項４）
請求項４に記載の発明は、上記した請求項２記載のクロスゲートを使用したクロスゲートの取付方法であって、以下を特徴とする。
【００１９】
すなわち、請求項４に記載のクロスゲートの取付方法は、前記連結具は、前記ゲート本体の端の上部及び下部の二箇所に設けられ、上り勾配に取り付ける場合は、下部に設けられた前記ロックボルトを緩めた状態で取り付けるとともに、上部に設けられた前記ロックボルトは前記所定の位置で締め付け固定し、下り勾配に取り付ける場合は、上部に設けられた前記ロックボルトを緩めた状態で取り付けるとともに、下部に設けられた前記ロックボルトは前記所定の位置で締め付け固定することを特徴とする。
【発明の効果】
【００２０】
請求項１に記載の発明は上記の通りであり、連結具における支柱側の部材とゲート本体側の部材とがロックボルトを介して連結され、回動可能かつ摺動可能に形成されている。このため、この回動動作と摺動動作とで傾斜地の勾配差を吸収しつつ、ゲートの開閉をスムーズに行えるようになっている。
【００２１】
また、ロックボルトを緩めたときにスライド溝に沿って摺動可能であり、かつ、ロックボルトを締め付けたときにスライド溝に沿って摺動できないように形成したため、このロックボルトによってロック機構が実現されている。このため、支柱とゲート本体との間に別途ロック機構を設ける必要がなく、支柱とゲート本体との間の間隙を小さくすることができるようになっている。
【００２２】
また、請求項２に記載の発明によれば、ロックボルトを所定の位置で締め付け固定したときにストッパーとゲート保持部材が係合し、ゲート保持部材の回動が抑制される。このため、ゲート保持部材に対して力が加わったときに、ゲート保持部材が回動してしまうという問題が起きないようになっている。
【００２３】
特に、ガイドブロックのスライド溝の最も根元の部分を「所定の位置」とし、ここでロックボルトを締め付け固定するようにすれば、支柱とゲート本体との間隙が最も小さくなる位置でガイドブロックとゲート保持部材とを強固にロックすることができ、支柱とゲート本体との間隙を小さく保つことができる。
【００２４】
また、スライド溝の長手方向が鉛直方向となるような位置を「所定の位置」とし、ここでロックボルトを締め付け固定するようにすれば、支柱とゲート本体との間隙を大きくする方向に働く荷重、すなわち、水平方向の荷重に強い構造とすることができる。
【００２５】
また、請求項３及び４に記載の発明によれば、上記したような効果が最も有効に発揮される状態でクロスゲートを取り付けることができる。
【図面の簡単な説明】
【００２６】
【図１】本発明の実施の形態であって、上り勾配に取り付けたクロスゲートの全体図である。
【図２】本発明の実施の形態であって、図１に示したクロスゲートの取付部分の部分拡大図である。
【図３】本発明の実施の形態であって、連結具の拡大説明図である。
【図４】本発明の実施の形態であって、ガイドブロックとゲート保持部材との結合状態を示す説明図である。
【図５】本発明の実施の形態であって、ガイドブロックのストッパーとゲート保持部材の切欠きとが係合している状態を示す説明図である。
【図６】本発明の実施の形態であって、下り勾配に取り付けたクロスゲートの全体図である。
【図７】本発明の実施の形態であって、クロスゲートの搬送時の状態を示す図である。
【発明を実施するための形態】
【００２７】
本発明の実施形態について、図を参照しながら説明する。
【００２８】
本実施形態に係るクロスゲートは、図１に示すように、工場等の敷地の出入り口の両側に設けられた支柱１に取り付けられるものであり、伸縮可能なゲート本体２と、このゲート本体２を支柱１に連結するための連結具１０と、から構成されている。
【００２９】
（ゲート本体２）
ゲート本体２は、図１に示すように、支柱１を起点として開閉自在に配置されるものであり、伸長時には出入り口を閉じ、収縮時には出入り口を開くように構成されている。
【００３０】
このゲート本体２は、両端の縦桟４の間に複数のクロスバー３を交差させたものであり、クロスバー３の角度と縦桟４間の距離を変えることにより伸縮できるように構成されている。なお、縦桟４間に目隠しパネルが折畳み展開可能に配設されている場合もある。
【００３１】
このゲート本体２両端の縦桟４には、柱状の受け材５が設けられており、後述するように、この受け材５が連結具１０と連結されている。
【００３２】
（連結具１０）
連結具１０は、図１及び図２に示すように、上部及び下部の二箇所において支柱１とゲート本体２とを連結するものである。
【００３３】
この連結具１０は、図２に示すように、ゲート本体２の受け材５に固定されるゲート保持部材５０と、ゲート保持部材５０に連結されるガイドブロック３０と、ガイドブロック３０に連結されるとともに支柱１に固定される支柱保持部材２０と、備えている。
【００３４】
（ゲート保持部材５０）
ゲート保持部材５０は、図２に示すように、ゲート本体２の縦桟４に設けられた受け材５の上端及び下端の二箇所において設けられ、この二箇所それぞれにおいてゲート本体２と連結されるものである。
【００３５】
このゲート保持部材５０は、図２及び図３に示すように、断面略コ字形の四角柱状の部材であるゲート保持部材本体５１と、このゲート保持部材本体５１の内部に設けられる嵌合筒５５と、この嵌合筒５５を立設させるためのブリッジ板５４と、を備えている。
【００３６】
そして、このゲート保持部材５０は、嵌合筒５５を受け材５に挿入することにより、ゲート本体２に固定されるものである。詳しくは、図２に示すように、受け材５の上端及び下端のそれぞれにおいて、受け材５に嵌合筒５５を挿入したのちに受け材５とゲート保持部材５０とをビス７０で固定することにより、ゲート保持部材５０とゲート本体２とが固定されるようになっている。
【００３７】
なお、ゲート保持部材本体５１の受け材５へ挿入される側とは逆側の端付近には、ボルト穴５２が設けられており、このボルト穴５２には、ロックボルト６０が挿入されている。
【００３８】
ここで、ゲート保持部材５０のボルト穴５２の内径は、回転可能な程度にロックボルト６０の外径よりも大きく形成されているため、図３及び図４に示すように、ゲート保持部材５０はロックボルト６０を軸として回動可能に形成されている。
【００３９】
また、後述するように、ゲート保持部材本体５１は、このロックボルト６０を介して、ガイドブロック３０に設けられたスライド溝３７に沿って摺動可能に形成されている。
【００４０】
また、ゲート保持部材本体５１のボルト穴５２が設けられた側の端縁には切欠き５３が設けられており、この切欠き５３は後述するストッパー３８と係合可能に形成されている。
【００４１】
（ガイドブロック３０）
ガイドブロック３０は、ロックボルト６０を介してゲート保持部材５０の回動動作及び摺動動作を可能とするものである。
【００４２】
このガイドブロック３０は、図３に示すように、平行に設けられた２枚の側板３６がブリッジを介して連結された形のブロック本体３５と、ブロック本体３５の支柱側の端に設けられた固定部材３１と、から構成されている。
【００４３】
ブロック本体３５の側板３６には、長孔のスライド溝３７が設けられており、このスライド溝３７をロックボルト６０が貫通している。ここで、スライド溝３７の幅は、ロックボルト６０の外径よりもやや大きく形成されており、これにより、ロックボルト６０はスライド溝３７の長手方向に沿って摺動可能に形成されている。
【００４４】
ところで、図３及び図４に示すように、このブロック本体３５の内部には、ブロック本体３５の２枚の側板３６に挟まれるようにしてゲート保持部材５０が収容されている。そして、スライド溝３７を貫通するロックボルト６０は、ブロック本体３５の内部においてゲート保持部材５０のボルト穴５２をも貫通している。このため、ロックボルト６０がスライド溝３７に沿って摺動すると、ゲート保持部材５０もスライド溝３７に沿って摺動するように形成されている。
【００４５】
なお、ブロック本体３５の支柱１側の端付近には、水平方向に回動軸３９が設けられている。そして、ブロック本体３５は、この回動軸３９を介して固定部材３１に連結されている。
【００４６】
ここで、固定部材３１は、図３に示すように、パイプ３２の外周面に取付部３４が突出形成された形状であり、取付部３４において前記した回動軸３９を回転可能に支えるものである。このため、ブロック本体３５は、この取付部３４に支持された回動軸３９を軸として上下に揺動可能に形成されている。
【００４７】
なお、固定部材３１のパイプ３２は、後述するように、ガイドブロック３０を支柱保持部材２０に固定するためのものである。
【００４８】
（支柱保持部材２０）
支柱保持部材２０は、図３に示すように、支柱１に固定されるものであり、支柱１を把持する角クランプ２１と、角クランプ２１に鉛直に固定される固定ピン２２と、からなる。
【００４９】
固定ピン２２は、前述したパイプ３２の挿入孔３３に挿入され、これにより、ガイドブロック３０と支柱保持部材２０とが固定される。
【００５０】
（ロックボルト６０）
ロックボルト６０は、前述したように、ブロック本体３５の側板３６の外側から挿入されてブロック本体３５を貫通するとともに、ブロック本体３５の内部においてゲート保持部材５０のボルト穴５２をも貫通するものである。なお、ブロック本体３５を貫通したロックボルト６０の先端には、図示しないナットが螺合しており、抜け止めとなっている。
【００５１】
ここで、前述したように、ゲート保持部材５０は、ガイドブロック３０のスライド溝３７に沿って摺動可能であるが、これはロックボルト６０を緩めたときに限られる。すなわち、ロックボルト６０を締め付けたときには、ロックボルト６０と図示しないナットとがガイドブロック３０に締め付け固定されるため、ロックボルト６０は摺動不能となるためである。なお、ロックボルト６０を締め付け固定した場合でも、ロックボルト６０を軸としたゲート保持部材５０の回動動作は可能なままである。
【００５２】
（クロスゲートの取付方法）
次に、クロスゲートの取付方法について説明する。
【００５３】
まずは図１に示すように上り勾配の場合について説明する。
【００５４】
この場合、図２に示すように、上部の連結具１０においては、スライド溝３７の根元部分においてロックボルト６０を締め付け固定する。また、下部の連結具１０においては、ロックボルト６０を緩めた状態で取り付け、スライド溝３７に対するロックボルト６０の摺動動作を自由とする。
【００５５】
ここで、本実施形態に係る連結具１０においては、スライド溝３７の根元部分においてロックボルト６０を締め付け固定した場合、ガイドブロック３０に設けられたストッパー３８とゲート保持部材５０の切欠き５３とが係合するように形成されている。
【００５６】
すなわち、図５が示すように、スライド溝３７の根元部分においてロックボルト６０を締め付け固定した場合、ガイドブロック３０に設けられたストッパー３８がゲート保持部材５０の切欠き５３と係合し、ゲート保持部材５０の回動が抑制されるようになっている。このため、クロスゲートの開閉などにより横荷重が加わった場合でも、ゲート保持部材５０の回動が抑制され、しっかりとロックされるようになっている。
【００５７】
なお、本実施例においては、スライド溝３７の最も根元の部分においてロックボルト６０を締め付け固定するようにしており、すなわち、柱１とゲート本体２の縦桟４との間隙が最も小さくなる位置でロックボルト６０を締め付け固定するようにしている。そして、この位置でロックボルト６０を締め付け固定したときに、ストッパー３８が切欠き５３と係合するように構成している。このため、柱１と縦桟４との間隙が最も小さくなる位置で、ガイドブロック３０とゲート保持部材５０とが強固にロックされるようになっている。
【００５８】
また、本実施例においては、ガイドブロック３０とゲート保持部材５０とがほぼ同一方向に揃った状態、言い換えると、スライド溝３７の長手方向が鉛直方向となった状態で、ロックボルト６０を締め付け固定するようにしており、このとき、ストッパー３８が切欠き５３と係合するように構成している。このため、水平方向の力が加わった場でも、ガイドブロック３０が回転することなしにはスライド溝３７に沿った摺動動作が発生しないことになるため、ストッパー３８が切欠き５３と係合することでガイドブロック３０の回転が抑制されていることにより、水平方向の荷重に強い構造となっている。
【００５９】
以上のように、上部の連結具１０においては、しっかりと連結具１０が固定されて、支柱１と縦桟４との間隙が小さく保てるようになっている。また、下部の連結具１０においては、ゲート保持部材５０が回動可能かつ摺動可能となっているため、ゲート本体２は傾斜地の勾配に対応して傾いた状態で安定する。このため、ゲート本体２を構成するクロスバー３の一部に負荷が集中するということはなく、クロスバー３を特別な構造にしなくても傾斜した設置面に対応してどこにも無理な荷重がかからず良好な状態に設置することができるようになっている。
【００６０】
次に、図６に示すような下り勾配の場合について説明する。
【００６１】
この場合、上り勾配とは逆に、下部の連結具１０においては、スライド溝３７の根元部分においてロックボルト６０を締め付け固定する。また、上部の連結具１０においては、ロックボルト６０を緩めた状態で取り付け、スライド溝３７に対するロックボルト６０の摺動動作を自由とする。特に図示しないが、このとき、下部の連結具１０においては、ガイドブロック３０に設けられたストッパー３８がゲート保持部材５０の切欠き５３と係合し、ゲート保持部材５０の回動が抑制されるようになっている。
【００６２】
このように、下り勾配の場合についても、上下の連結具１０でロックボルト６０の固定方法を変えるだけで、上り勾配の場合と同様の効果を得ることができる。
【００６３】
（クロスゲートの搬送方法）
図７は、本実施形態に係るクロスゲートの搬送方法を説明する図である。
【００６４】
この図７が示すように、本実施形態に係るクロスゲートを搬送する場合には、連結具１０及びゲート本体２を折り畳んだ状態でＰＰバンド８０で固定する。すなわち、連結具１０は、図５で示すようなロック状態で搬送される。このため、ガイドブロック３０がゲート本体２の外側に突出しないようになっており、搬送時においてもコンパクトな形態とすることができる。
【符号の説明】
【００６５】
１  支柱
２  ゲート本体
３  クロスバー
４  縦桟
５  受け材
１０  連結具
２０  支柱保持部材
２１  角クランプ
２２  固定ピン
３０  ガイドブロック
３１  固定部材
３２  パイプ
３３  挿入孔
３４  取付部
３５  ブロック本体
３６  側板
３７  スライド溝
３８  ストッパー
３９  回動軸
５０  ゲート保持部材
５１  ゲート保持部材本体
５２  ボルト穴
５３  切欠き
５４  ブリッジ板
５５  嵌合筒
６０  ロックボルト
７０  ビス
８０  ＰＰバンド
【図１】
2011163087.tif 000003
【図２】
2011163087.tif 000004
【図３】
2011163087.tif 000005
【図４】
2011163087.tif 000006
【図５】
2011163087.tif 000007
【図６】
2011163087.tif 000008
【図７】
2011163087.tif 000009